(57)【特許請求の範囲】
【請求項１】
３相交流電源と接続される３つの入力端子からなる第１の入力端子群と、
前記３相交流電源と接続される３つの入力端子からなる第２の入力端子群と、
前記第１の入力端子群を介して前記３相交流電源と並列に接続され、定格電流がインバータ装置の定格電流の１／２である第１のダイオード整流回路と、
前記第２の入力端子群を介して前記３相交流電源と並列に接続されるとともに前記第１のダイオード整流回路と並列に接続され、定格電流がインバータ装置の定格電流の１／２である第２のダイオード整流回路と、
前記第１および第２のダイオード整流回路と並列に接続される平滑コンデンサと、
前記第１および第２のダイオード整流回路と並列に接続されるとともに、前記平滑コンデンサと並列に接続されるインバータ部と、
前記第１および第２のダイオード整流回路と直列に接続されるとともに、前記平滑コンデンサおよび前記インバータ部と直列に接続される突入電流抑制抵抗と、
前記突入電流抑制抵抗と並列に接続される抑制抵抗短絡用コンタクタとを有することを特徴とする６相／１２相整流形インバータ装置。
【請求項２】
前記第１の入力端子群の３つの入力端子と前記第２の入力端子群の３つの入力端子とを接続する短絡バーをさらに有する、請求項１に記載の６相／１２相整流形インバータ装置。
【発明の詳細な説明】
【０００１】
【発明の属する技術分野】
本発明は、インバータ装置における電源力率の悪化と電源高調波を抑制することができる６相／１２相整流形インバータ装置に関する。
【０００２】
【従来の技術】
図４は従来のインバータ装置の構成を示す回路ブロック図である。同図において、４１はダイオード整流回路、４２は平滑コンデンサ、４３はインバータ部、４４は突入電流抑制抵抗、４５は突入電流抑制抵抗短絡用コンタクタ、Ｅ、Ｎ、Ｐ、Ｒ〜Ｗは接続端子であり、これらからインバータ装置４０は構成される。
従来のインバータ装置において、電源高調波を抑制する方式として１２相整流方式がある。これを実現するためには、従来の１２相整流形インバータ装置の構成ブロック図（図５）に示すように、インバータ装置４０の外部に、別途に用意した３巻線トランス５１の外に６相整流器５２を配置して接続する必要があった。
【０００３】
６相、１２相整流の従来の技術として、特開平５ー９１７４８号公報、特開平５ー２３６７５０号公報に記載がある。
特開平５ー９１７４８号公報には、３０°位相差のある２つの３相交流電圧を得て、それぞれを第１の整流器と第２の整流器で直流電圧にし、双方の直流電圧を並列に合わせてリップル高さを低減して出力する６相整流回路が開示されている。
特開平５ー２３６７５０号公報には、３相交流電圧を１２相変圧器を介して４つの３相整流回路に接続して位相の異なる直流電圧を得、各々の直流電圧を並列接続して出力する多相整流装置が開示されている。
【０００４】
【発明が解決しようとする課題】
ところが従来技術では、６相整流器がインバータ装置外部に必要なため、別置きに伴うスペースとコストの増大を来していた。
そこで、本発明は２組のダイオード整流回路（６相整流器）をインバータ装置内に装備し、２組のダイオード整流回路の電流定格を従来の半分にして小型、低コスト化を図ることを目的とする。
【０００５】
【課題を解決するための手段】
上記問題を解決するため、本発明は、６相あるいは１２相整流形インバータ装置として、３相交流電源と接続される３つの入力端子からなる第１の入力端子群と、前記３相交流電源と接続される３つの入力端子からなる第２の入力端子群と、前記第１の入力端子群を介して前記３相交流電源と並列に接続され、定格電流がインバータ装置の定格電流の１／２である第１のダイオード整流回路と、前記第２の入力端子群を介して前記３相交流電源と並列に接続されるとともに前記第１のダイオード整流回路と並列に接続され、定格電流がインバータ装置の定格電流の１／２である第２のダイオード整流回路と、前記第１および第２のダイオード整流回路と並列に接続される平滑コンデンサと、前記第１および第２のダイオード整流回路と並列に接続されるとともに、前記平滑コンデンサと並列に接続されるインバータ部と、前記第１および第２のダイオード整流回路と直列に接続されるとともに、前記平滑コンデンサおよび前記インバータ部と直列に接続される突入電流抑制抵抗と、前記突入電流抑制抵抗と並列に接続される抑制抵抗短絡用コンタクタとを有するものである。また、前記第１の入力端子群の３つの入力端子と前記第２の入力端子群の３つの入力端子とを接続する短絡バーをさらに有していても良い。
【０００６】
【発明の実施の形態】
本発明の実施の形態について図面を参照して説明する。本発明は、６相あるいは１２相整流形インバータ装置の両様に簡単に使い分けできる。
図１は６相相整流形インバータ装置としての構成を示す回路ブロック図である。同図において、１および２は１／２の電流定格であるダイオード整流回路（６相整流器）、３は平滑コンデンサ、４はインバータ部を示している。また５は突入電流抑制抵抗、６は突入電流抑制抵抗５の短絡用コンタクタである。Ｅ、Ｒ〜Ｔ、Ｒ１〜Ｔ１は３相電圧が供給される入力端子、Ｕ〜Ｗはインバータ装置の出力端子である。本発明ではこれらを内蔵してインバータ装置１０が構成される。７は入力端子間の短絡のために用いる短絡バーである。
【０００７】
６相整流インバータ装置として使用する場合は、図１のように、入力端子Ｒ-Ｒ１間、Ｓ-Ｓ１間およびＴ-Ｔ１間を短絡バー７で短絡して使用すればよい。６相整流インバータ装置としての作用は従来技術と変わるところがないので省略する。
図２は１２相整流形インバータ装置としての構成を示す回路ブロック図である。同図において、１１および１２は１／２の電流定格であるダイオード整流回路（６相整流器）、１３は平滑コンデンサ、１４はインバータ部、１５は突入電流抑制抵抗及び１６は突入電流抑制抵抗１５の短絡用コンタクタである。Ｅ、Ｒ〜Ｔ、Ｒ１〜Ｔ１は入力端子、Ｕ〜Ｗは出力端子である。本発明ではこれらを内蔵してインバータ装置２０が構成される。１７はインバータ装置２０の外部に配置する３巻線トランスで、図示してない３相交流電源と入力端子Ｒ〜Ｔ、Ｒ１〜Ｔ１との間に接続される。
【０００８】
１２相整流インバータ装置として使用する場合は、図２のように，３相交流電源と入力端子との間に３巻線トランス１７を接続することによって、１２相整流形インバータ装置となる。１２相整流インバータ装置としての作用は従来技術と変わるところがないので省略する。
本発明のインバータ装置は、短絡バーによる接続、あるいは３巻線トランスを外部接続することによって、６相あるいは１２相整流形インバータ装置の両様に簡単に使い分けすることができる。
図３（Ａ）は従来の６相整流、ＡＣリアクトルなしの場合の電源電流波形の例を示し、図３（Ｂ）は本発明の１２相整流、３巻線トランス使用の場合の電源電流波形の例を示す。前者の電流歪み率は８８％と大きく、また後者の電流歪み率は１２％と小さいことが解る。
【０００９】
【発明の効果】
以上説明したように、本発明によれば、２組のダイオード整流回路をインバータ装置内に標準装備することで、６相／１２相整流の両方に容易に対応することができ、１２相整流の場合、２組のダイオード整流回路の電流定格は従来の半分にできるため、小型化と低コスト化を図ることができる。また、多相整流することで、インバータ装置における電源力率の悪化と電源高調波を抑制することができる。
【図面の簡単な説明】
【図１】６相相整流形インバータ装置としての構成を示す回路ブロック図
【図２】１２相整流形インバータ装置としての構成を示す回路ブロック図
【図３】従来の６相整流（Ａ）、本発明の１２相整流（Ｂ）の電源電流波形の例を示す図
【図４】従来のインバータ装置の構成を示す回路ブロック図
【図５】従来の１２相整流形インバータ装置の構成を示す回路ブロック図
【符号の説明】
１、２  ダイオード整流回路
３    平滑コンデンサ
４    インバータ部
５    突入電流抑制抵抗
６    突入電流抑制抵抗短絡用コンタクタ
７    短絡バー
１０    インバータ装置
１１、１２  ダイオード整流回路
１３    平滑コンデンサ
１４    インバータ部
１５    突入電流抑制抵抗
１６    突入電流抑制抵抗短絡用コンタクタ
１７    ３巻線トランス
２０    インバータ装置
４０    インバータ装置
４１    ダイオード整流回路
４２    平滑コンデンサ
４３    インバータ部
４４    突入電流抑制抵抗
４５    突入電流抑制抵抗短絡用コンタクタ
５１    ３巻線トランス
５２    ６相整流器
【図１】
0003695485.tif 000002
【図２】
0003695485.tif 000003
【図３】
0003695485.tif 000004
【図４】
0003695485.tif 000005
【図５】
0003695485.tif 000006